(57)【要約】【課題】  顕微鏡本体を載置した移動ステージを片手で簡単に操作できる顕微鏡システムを提供する。【解決手段】  操作ハンドル１７を片手（図示例では右手）で操作し、送りねじ９（または１２）を選択し、選択された送りねじ９（または１２）について回転操作することで、中板４のＸガイド６に沿った移動および上板５のＹガイド７に沿った移動を得る。【選択図】      図１
2005234462.tif 000002
【特許請求の範囲】
【請求項１】
基台上に設けられた試料を載置する固定ステージと、
前記基台上に設けられ、直交する２方向に移動可能にした移動ステージと、
前記移動ステージ上に設けられ、該移動ステージの移動により前記固定ステージ上の試料を観察する顕微鏡本体と、
前記移動ステージの移動方向に対応して設けられ、それぞれの移動方向に駆動力を伝達する駆動力伝達手段と、
前記駆動力伝達手段を選択する選択手段を有し、該選択手段により選択された前記駆動力伝達手段を操作する操作手段と
を具備したことを特徴とする顕微鏡システム。
【請求項２】
基台上に設けられた試料を載置する固定ステージと、
前記基台上に設けられ、直交する２方向に移動可能にした移動ステージと、
前記移動ステージ上に設けられ、該移動ステージの移動操作により前記固定ステージ上の試料を観察する顕微鏡本体と、
前記移動ステージの移動方向に対応して設けられ、それぞれの移動方向に駆動力を伝達する駆動力伝達手段と、
前記駆動力伝達手段に連結され、各々の回転軸が同軸的に配置された２つの操作手段と
を具備したことを特徴とする顕微鏡システム。
【請求項３】
前記移動ステージは、相対的に移動する下板、中板、上板の三枚重ねで構成され、前記中板に前記操作手段を設けたことを特徴とする請求項１または２記載の顕微鏡システム。
【請求項４】
前記２つの操作手段は、第１のハンドルと第２のハンドルで構成されており、
これら第１および第２のハンドルは、それぞれの前記回転軸を前記移動ステージの移動方向に対して垂直方向に配置されることを特徴とする請求項２または３記載の顕微鏡システム。
【請求項５】
前記２つの操作手段は、第１のハンドルと第２のハンドルで構成されており、
これら第１および第２のハンドルは、それぞれの前記回転軸を前記移動ステージの移動方向に対して水平方向に配置されることを特徴とする請求項２または３記載の顕微鏡システム。
【発明の詳細な説明】
【技術分野】
【０００１】
本発明は、生理学研究などに用いられる顕微鏡用システムに関するものである。
【背景技術】
【０００２】
従来、生理学研究などに用いられる顕微鏡システムとして、図６に示すように構成したものがある。図において、１０１はベースで、このベース１０１上には、複数のステージ脚１０２を介して試料ステージ１０３が水平方向に支持されている。試料ステージ１０３には、観察対象となる試料１０４が載置されている。また、ベース１０１上には、移動ステージ１０５が設けられている。移動ステージ１０５は、図７に示すように下板１０６、中板１０７、上板１０８の三枚重ねで構成されている。そして、下板１０６と中板１０７の間に、Ｙガイド１０９が設けられ、中板１０７と上板１０８の間に、Ｘガイド１１０が設けられていて、これらＹガイド１０９とＸガイド１１０により、中板１０７をＹ方向に、上板１０８をＸ方向にそれぞれ移動可能としている。また、これらＹガイド１０９とＸガイド１１０には、それぞれに対応させてＹ移動操作部１１１とＸ移動操作部１１２が設けられ、Ｙ移動操作部１１１を回転操作することで、中板１０７をＹガイド１０９に沿って直線移動させ、Ｘ移動操作部１１２回転操作することで、上板１０８をＸガイド１１０に沿って直線移動させるようにしている。このような移動ステージ１０５上に、顕微鏡本体１１３が設けられている。顕微鏡本体１１３は、試料ステージ１０３上方に水平方向に延びるアーム１１４を有し、このアーム１１４先端に鏡筒１１５が設けられている。鏡筒１１５には、対物レンズ１１６を支持するレボルバ１１７を有するとともに、対物レンズ１１６を介して取得される試料１０４の観察像を目視観察する接眼レンズ１１８が設けられている。これにより、移動ステージ１０５により顕微鏡本体１１３側の位置決めを行なうことで、試料ステージ１０３上の試料１０４の観察を行なうようにしている。
【０００３】
このように、従来、生理学研究に用いられる顕微鏡システムでは、ベース１０１側に固定された試料ステージ１０３に対して顕微鏡本体１１３を移動ステージ１０５側に載置し、それぞれを分離させた構造とすることにより、試料観察の際に、特に問題となる試料側の振動を抑制するようにしている。
【０００４】
ところが、このように構成した顕微鏡システムでは、移動ステージ１０５のＸ、Ｙ方向の移動操作は、離れて配置されるＹ移動操作部１１１とＸ移動操作部１１２を各別に操作することになるため、観察主体である顕微鏡本体１1３の位置決めを行なう場合、Ｙ移動操作部１１１とＸ移動操作部１１２を両手を使って操作する必要がある。このため、その他の焦準ハンドルやマニピュレータなども合わせて操作する必要があるような場合、操作が極めて煩雑となり、操作性の低下を招くという問題を生じる。また、特に、生理学研究で試料として用いられる生体細胞は、表面形状に凹凸を有するものが多く、焦点ずれが生じやすい。このため、移動ステージ１０５の移動のためＹ移動操作部１１１とＸ移動操作部１１２を両手を使って操作していたのでは、焦点ずれが発生するたびに移動ステージ１０５の操作を止めて、焦点合わせのための操作を行なわなくてはならず、試料観察の作業性の低下を招くという問題も生じる。
【０００５】
一方、このようなＸ、Ｙ方向の移動を可能とした移動ステージとして、特許文献１や特許文献２に開示されるように、試料を載置するステージのＸＹ方向の移動を、Ｘ方向とＹ方向のそれぞれの駆動軸を同軸的に配置したハンドルにより片手で操作可能にしたものがある。
【特許文献１】特開平６−２２２２７８号公報
【特許文献２】特開平９−１２７４２７号公報
【発明の開示】
【発明が解決しようとする課題】
【０００６】
ところが、これら特許文献１、特許文献２に開示されるものは、一般に広く用いられる試料を載置するステージをハンドル操作により移動させるものであり、上述した試料を載置した試料ステージに対して顕微鏡本体のような重量の大きなものを載置して移動操作される移動ステージに適用したものでない。
【０００７】
本発明は上記事情に鑑みてなされたもので、顕微鏡本体を載置した移動ステージを片手で簡単に操作できる顕微鏡システムを提供することを目的とする。
【課題を解決するための手段】
【０００８】
請求項１記載の発明は、基台上に設けられた試料を載置する固定ステージと、前記基台上に設けられ、直交する２方向に移動可能にした移動ステージと、前記移動ステージ上に設けられ、該移動ステージの移動により前記固定ステージ上の試料を観察する顕微鏡本体と、前記移動ステージの移動方向に対応して設けられ、それぞれの移動方向に駆動力を伝達する駆動力伝達手段と、前記駆動力伝達手段を選択する選択手段を有し、該選択手段により選択された前記駆動力伝達手段を操作する操作手段とを具備したことを特徴としている。
【０００９】
請求項２記載の発明は、基台上に設けられた試料を載置する固定ステージと、前記基台上に設けられ、直交する２方向に移動可能にした移動ステージと、前記移動ステージ上に設けられ、該移動ステージの移動操作により前記固定ステージ上の試料を観察する顕微鏡本体と、前記移動ステージの移動方向に対応して設けられ、それぞれの移動方向に駆動力を伝達する駆動力伝達手段と、前記駆動力伝達手段に連結され、各々の回転軸が同軸的に配置された２つの操作手段とを具備したことを特徴としている。
【００１０】
請求項３記載の発明は、請求項１または２記載の発明において、前記移動ステージは、相対的に移動する下板、中板、上板の三枚重ねで構成され、前記中板に前記操作手段を設けたことを特徴としている。
【００１１】
請求項４記載の発明は、請求項２または３記載の発明において、前記２つの操作手段は、第１のハンドルと第２のハンドルで構成されており、これら第１および第２のハンドルは、それぞれの前記回転軸を前記移動ステージの移動方向に対して垂直方向に配置されることを特徴としている。
【００１２】
請求項５記載の発明は、請求項２または３記載の発明において、前記２つの操作手段は、第１のハンドルと第２のハンドルで構成されており、これら第１および第２のハンドルは、それぞれの前記回転軸を前記移動ステージの移動方向に対して水平方向に配置されることを特徴としている。
【発明の効果】
【００１３】
本発明によれば、顕微鏡本体を載置した移動ステージのＸＹ方向の操作を簡単に行なうことができ、移動ステージの操作性を高めることができる。
【００１４】
また、移動ステージのＸＹ方向の移動操作を片手操作で行なうことができるので、仮に、焦点ずれが頻繁に発生しても、空いているもう一方の手で焦準操作を行なうことができるようになり、試料観察の作業性を高めることもできる。
【発明を実施するための最良の形態】
【００１５】
以下、本発明の実施の形態を図面に従い説明する。
【００１６】
（第１の実施の形態）
図１は、本発明の第１の実施の形態にかかる顕微鏡システムに用いられる移動ステージの概略構成を示している。ここでは、試料を載置する固定ステージである試料ステージ、移動ステージ上に載置される顕微鏡本体については、図６で述べた構成に準じるものとして、図示を省略している。
【００１７】
図において、１は基台であるベースで、このベース１上に移動ステージ２が設けられている。移動ステージ２は、それぞれ矩形状をなす下板３、中板４、上板５の三枚重ねで構成され、このうちの下板３がベース１に固定されている。この下板３、中板４、上板５の形状は、例えば丸型であってもよい。
【００１８】
下板３と中板４の間には、Ｘガイド６が設けられている。Ｘガイド６は、下板３上面のＸ方向に沿って形成される凸部６ａと中板４下面のＸ方向に沿って形成される凹部６ｂとから構成され、中板４側の凹部６ｂに下板３側の凸部６ａを挿入した状態で、中板４をＸ方向に移動可能としている。
【００１９】
また、中板４と上板５の間には、Ｙガイド７が設けられている。Ｙガイド７は、中板４上面のＹ方向に沿って形成される凹部７ａと上板５下面のＹ方向に沿って形成される凸部７ｂとから構成され、中板４側の凹部７ａに上板５側の凸部７ｂを挿入した状態で、上板５をＹ方向に移動可能としている。
【００２０】
下板３のＸガイド６に沿った端部には、上方に向けて突起３ａが形成されている。また、中板４のＸガイド６に沿った端部には、下板３側の突起３ａと対向する突起４ａが形成されている。突起４ａには、ねじ孔８が貫通して形成されている。このねじ孔８には、駆動力伝達手段としての棒状の送りねじ９がねじ込まれている。この送りねじ９は、中板４端部のＸ方向に沿って配置され、先端を突起３ａ面に当接可能とし、突起４ａへのねじ込み量を変化させることで、中板４をＸ方向に移動可能にしている。また、送りねじ９の基端面には、例えば、断面が矩形状をした凹部９ａが形成されている。この凹部９ａの断面形状は、楕円形であってもよい。
【００２１】
下板３と中板４の間には、図２に示すようにばね１０が設けられている。このばね１０は、下板３に対して中板４を引張るような働きをするもので、この引張力により、送りねじ９の先端を、突起３ａ面に常時当接させるようにしている。
【００２２】
一方、上板５のＹガイド７に沿った側部には、突起５ａが形成されている。また、中板４のＹガイド７に沿った側部には、上板５側の突起５ａと対向する突起４ｂが形成されている。突起４ｂには、ねじ孔１１が貫通して形成されている。このねじ孔１１には、駆動力伝達手段としての棒状の送りねじ１２がねじ込まれている。この送りねじ１２は、中板４の側部のＹ方向に沿って配置され、一方端を突起５ａ面に当接可能とし、突起４ｂへのねじ込み量を変化させることで、上板５をＹ方向に移動可能にしている。また、送りねじ１２の他方端には、例えば、断面が矩形状をした凹部１２ａが形成されている。この凹部１２ａの断面形状は、楕円形であってもよい。
【００２３】
送りねじ１２は、下板３上面からの高さが上述した送りねじ９と同じ高さで、且つ送りねじ９の軸中心の方向と直交する方向に配置されている。
【００２４】
上板５と中板４の間には、図２に示すようにばね１３が設けられている。このばね１３は、上板５と中板４の間を引張るような働きをするもので、この引張力により、送りねじ１２の先端を突起５ａ面に常時当接させるようにしている。
【００２５】
下板３上面の送りねじ９、１２のそれぞれの軸中心の交差する位置（図示例では、移動ステージ２の手前側からみて右側）に操作手段としての操作部１４が配置されている。この操作部１４は、中板４より水平方向に突出した基板１５を有している。この基板１５は、図３に示すように孔部１５ａが形成されている。この孔部１５ａには、回転軸１６が直立して挿入されている。この場合、回転軸１６は、中間部から下側を段部１６ａを介して小径部１６ｂに形成され、この小径部１６ｂを基板１５の孔部１５ａに挿入するとともに、抜け止めナット１７１の装着により、段部１６ａを孔部１５ａの開口周縁に当接した状態で、回転可能に支持されている。この場合、回転軸１６の回転中心１６ｃは、送りねじ９の軸中心と送りねじ１２の軸中心のそれぞれの延長線上の交点に位置するようになっている。
【００２６】
回転軸１６には、操作ハンドル１７が設けられている。この操作ハンドル１７は、棒状をしたもので、回転軸１６を貫通し、回転軸１６の軸中心と直交する方向に直線移動可能に設けられている。また、操作ハンドル１７には、回転軸１６を挟んで両側にＥリング１８ａ、１８ｂが設けられ、これらＥリング１８ａ、１８ｂにより直線方向の移動を所定の範囲に規制されている。また、操作ハンドル１７は、基端部に把手部１７ａを有するとともに、先端部に突起１７ｂを有している。突起１７ｂは、送りねじ９、１２に設けられた凹部９ａ、１２ａに対応する断面形状をしている。また、操作ハンドル１７は、下板３上面からの高さが、上述した送りねじ９、１２と同じ高さになるように調整されている。
【００２７】
これにより、操作ハンドル１７は、回転軸１６を中心に回転させて、送りねじ９（または送りねじ１２）の軸中心と一致させ、この状態で、直進移動させることで、先端部の突起１７ｂが送りねじ９（または送りねじ１２）の凹部９ａ（または凹部１２ａ）に嵌合し、送りねじ９（または送りねじ１２）の回転を操作できるようにしている。
【００２８】
なお、１９は、操作部１４を覆うカバーである。
【００２９】
次に、このように構成した実施の形態の作用を説明する。
【００３０】
まず、図示のように操作ハンドル１７を送りねじ９の軸中心に一致させた状態で、操作ハンドル１７を押し込んでＥリング１８ａが回転軸１６に当接するまで移動する。これで、ハンドル１７先端部の突起１７ｂが送りねじ９の凹部９ａに嵌合する。
【００３１】
この状態から、操作ハンドル１７を回転すると、このときの回転方向により、送りねじ９は、突起３ａ面に当接した状態で、中板４の突起４ａへのねじ込み量を変化する。これにより中板４は、Ｘガイド６に沿って下板３上をＸ方向に移動される。
【００３２】
次に、操作ハンドル１７を手前に引いてＥリング１８ｂが回転軸１６に当接するまで移動する。これにより、操作ハンドル１７先端部の突起１７ｂと送りねじ９の凹部９ａの嵌合が解除される。
【００３３】
この状態から、操作ハンドル１７を回転軸１６を中心に９０°回転すると、操作ハンドル１７の軸中心と送りねじ９の軸中心が一致する。次に、操作ハンドル１７を押し込んでＥリング１８ａが回転軸１６に当接するまで移動する。これで、操作ハンドル１７先端部の突起１７ｂが送りねじ１２の凹部１２ａに嵌合する。
【００３４】
この状態から、操作ハンドル１７を回転すると、このときの回転方向により、送りねじ１２は、突起５ａ面に当接した状態で、中板４の突起４ｂへのねじ込み量を変化する。これにより、上板５は、中板４上をＹガイド７に沿ってＹ方向に移動される。
【００３５】
従って、このようにすれば、操作ハンドル１７を片手（図示例では右手）で操作し、送りねじ９（または１２）を選択し、この選択された送りねじ９（または１２）について回転操作することで、中板４のＸガイド６に沿った移動および上板５のＹガイド７に沿った移動をそれぞれ得られるので、重量の大きな顕微鏡本体を載置した移動ステージ２についてもＸＹ方向の操作を簡単に行なうことができ、移動ステージ２の操作性を高めることができる。
【００３６】
また、移動ステージ２のＸＹ方向の移動操作を操作ハンドル１７の片手操作で行なうことができるので、仮に、焦点ずれが頻繁に発生しても、空いているもう一方の手で焦準操作を行なうことができるようになり、試料観察の作業性を高めることもできる。
【００３７】
なお、上述した実施の形態では、操作ハンドル１７を右手で操作するのに便利なように、移動ステージ２の手前側から見て右側に操作ハンドル１７を配置した例を述べたが、左側に配置することもできる。
【００３８】
（第２の実施の形態）
次に、本発明の第２の実施の形態を説明する。
【００３９】
図４は、本発明の第２の実施の形態にかかる顕微鏡システムに用いられる移動ステージの概略構成を示している。ここでは、試料を載置する固定側のステージ、移動ステージに載置される顕微鏡本体については、図６で述べた構成に準じるものとして、図示を省略している。
【００４０】
図において、２１はベースで、このベース２１上に移動ステージ２２が設けられている。移動ステージ２２は、それぞれ矩形状をなす下板２３、中板２４、上板２５の三枚重ねで構成され、このうちの下板２３がベース２１に固定されている。この下板２３、中板２４、上板２５の形状は、例えば丸型であってもよい。
【００４１】
下板２３と中板２４の間には、Ｙ方向に沿って２本のＹガイド２６が設けられている。Ｙガイド２６は、下板２３上面のＹ方向に沿って配置されるガイドレール２６ａと中板２４下面のＹ方向に沿ってガイドレール２６ａに対応して配置される摺動部２６ｂとから構成され、下板２３側のガイドレール２６ａに中板２４側の摺動部２６ｂを案内させることで、下板２３に対して中板２４をＹ方向に移動可能としている。
【００４２】
また、中板２４と上板２５の間には、Ｘ方向に沿って２本のＸガイド２７が設けられている。Ｘガイド２７は、中板２４上面のＸ方向に沿って平行に配置されるガイドレール２７ａと上板２５下面のＸ方向に沿って形成される摺動部２７ｂとから構成され、中板２４側のガイドレール２７ａに上板２５側の摺動部２７ｂを案内させることで、中板２４に対して上板２５をＸ方向に移動可能としている。
【００４３】
下板２３のＹガイド２６に沿った側面には、駆動力伝達手段を構成するラック２８が配置されている。この場合、ラック２８は、側面端部からＹ方向に所定距離だけ延長して配置されている。また、上板２５のＸガイド２７に沿った側面には、駆動力伝達手段を構成するラック２９が配置されている。この場合、ラック２９は、側面端部からＸ方向に所定距離だけ延長して配置されている。
【００４４】
中板２４には、ラック２８と２９の軸中心が直交する位置（図示例では、移動ステージ２２の手前側からみて右側）に操作部３０が配置されている。この操作部３０は、中板２４のラック２８と２９の軸中心が直交する位置に突起３０１を有している。この突起３０１には、孔部３０２が形成されている。この孔部３０２には、操作ハンドル３１が直立して挿入して保持されている。操作ハンドル３１を操作手段とする。また、操作ハンドル３１は、操作ツマミであってもよい。
【００４５】
操作ハンドル３１は、筒状の第１のハンドル３１ａと、この第１のハンドル３１ａの中空部に同軸的に配置された第２のハンドル３１ｂを有し、これら第１のハンドル３１ａと第２のハンドル３１ｂを独立して回転操作できるようになっている。第２のハンドル３１ｂは、両端部を第１のハンドル３１ａの中空部から突出して配置され、先端部には、ラック２８とともに駆動力伝達手段を構成するピニオン３２が設けられている。このピニオン３２は、ラック２８に噛合するもので、第２のハンドル３１ｂの回転操作によりラック２８をＹ方向に直線移動させる力を作用する。この場合、ラック２８が設けられる下板２３はベース２１上に固定されているので、ピニオン３２の回転により中板２４側がＹ方向に移動するようになっている。また、第１のハンドル３１ａの途中、ラック２９とともに駆動力伝達手段を構成するピニオン３３が設けられている。このピニオン３３は、ラック２９に噛合するもので、第１のハンドル３１ａの回転操作によりピニオン３３を介してラック２９移動し、上板２５をＸ方向に直線移動させるようになっている。
【００４６】
このような構成において、操作ハンドル３１の第１のハンドル３１ａを回転操作すると、ピニオン３３を介してラック２９がＸ方向に直線移動し、上板２５は、中板２４上をＸガイド２７に沿ってＸ方向に駆動される。
【００４７】
また、操作ハンドル３１の第２のハンドル３１ｂを回転操作すると、ピニオン３２を介してラック２８をＹ方向に移動させる力を作用する。この場合、ラック２８が設けられる下板２３は、ベース２１上に固定されているので、ピニオン３２の回転により中板２４が下板２３上をＹガイド２６に沿ってＹ方向に駆動される。
【００４８】
従って、このようにしても、操作ハンドル３１の第１のハンドル３１ａと第２のハンドル３１ｂを選択し、それぞれを片手（図示例では右手）で回転操作することで、上板２５のＸガイド２７に沿った移動および中板２３のＹガイド２６に沿った移動をそれぞれ得られるので、顕微鏡本体を載置した移動ステージ２２のＸＹ方向の操作を簡単に行なうことができ、移動ステージ２２の操作性を高めることができる。
【００４９】
また、移動ステージ２２のＸＹ方向の移動操作を操作ハンドル３１の片手操作で行なうことができるので、仮に、焦点ずれが頻繁に発生しても、空いているもう一方の手で焦準操作を行なうことができるようになり、試料観察の作業性を高めることもできる。
【００５０】
なお、上述した実施の形態では、操作ハンドル３１を右手で操作するのに便利なように、移動ステージ２２の手前側から見て右側に操作ハンドル３１を配置した例を述べたが、左側に配置することもできる。
【００５１】
（第３の実施の形態）
次に、本発明の第３の実施の形態を説明する。
【００５２】
図５は、本発明の第３の実施の形態にかかる顕微鏡システムに用いられる移動ステージの概略構成を示すものである。ここでも、試料を載置する固定側のステージ、移動ステージに載置される顕微鏡本体については、図６で述べた構成に準じるものとして、図示を省略している。
【００５３】
図において、４１はベースで、このベース４１上に移動ステージ４２が設けられている。移動ステージ４２は、それぞれ矩形状をなす下板４３、中板４４、上板４５の三枚重ねで構成され、このうちの下板４３がベース４１に固定されている。この下板４３、中板４４、上板４５の形状は、例えば丸型であってもよい。
【００５４】
下板４３と中板４４の間には、Ｘ方向に沿って２本のＸガイド４６が設けられている。図示例では、一方のＸガイド４６のみ示している。Ｘガイド４６は、下板４３上面のＸ方向に沿って配置されるガイドレール４６ａと中板４４下面のＸ方向に沿ってガイドレール４６ａに対応して配置される摺動部４６ｂとから構成され、下板４３側のガイドレール４６ａに中板４４側の摺動部を案内させることで、下板４３に対して中板４４をＸ方向に移動可能としている。
【００５５】
また、中板４４と上板４５の間には、Ｙガイド４７が設けられている。Ｙガイド４７は、中板４４上面のＹ方向に沿って平行に配置されるガイドレール４７ａと上板４５下面のＹ方向に沿って形成される摺動部４７ｂとから構成され、中板４４側のガイドレール４７ａに上板４５側の摺動部４７ｂを案内させることで、中板４４に対して上板４５をＹ方向に移動可能としている。
【００５６】
下板４３のＸガイド４６に沿った側面には、ラック４８が配置されている。また、上板４５のＹガイド４７に沿った側面には、ラック４９が配置されている。この場合、ラック４９は、側面端部からＹ方向に所定距離だけ延長して配置されている。
【００５７】
中板４４には、ラック４８と４９の軸中心が直交する位置（図示例では、移動ステージ２２の手前側からみて右側）に操作部５１が配置されている。この操作部５１は、中板４４のＸガイド４６に沿った側面に突起５１１を有している。この突起５１１には、孔部５１２が形成されている。この孔部５１２には、操作ハンドル５２がＸガイド４６に沿って横向きにして保持されている。操作ハンドル５２を操作手段とする。また、操作ハンドル５２は、操作ツマミであってもよい。
【００５８】
操作ハンドル５２は、筒状の第１のハンドル５２ａと、この第１のハンドル５２ａの中空部の同軸上に配置された第２のハンドル５２ｂを有し、これら第１のハンドル５２ａと第２のハンドル５２ｂを独立して回転操作できるようになっている。第２のハンドル５２ｂは、両端部を第１のハンドル５２ａの中空部から突出して配置され、突起５１１の孔部５１２を貫通した先端部にピニオン５３が設けられている。このピニオン５３は、傘歯車５４を介してラック４８に噛合するもので、第２のハンドル５２ｂの回転操作により傘歯車５４を介してラック４８をＸ方向に直線移動させる力を作用する。この場合、ラック４８が設けられる下板４３はベース４１上に固定されているので、ピニオン５３の回転により中板４４側がＹ方向に移動するようになっている。また、第１のハンドル５２ａには、ピニオン５５が設けられている。このピニオン５５は、傘歯車５６を介してラック４９に噛合するもので、第１のハンドル５２ａの回転操作によりピニオン５５、傘歯車５６を介してラック４９移動し、上板４５をＹ方向に直線移動させるようにしている。
【００５９】
このような構成において、操作ハンドル５２の第１のハンドル５２ａを回転操作すると、ピニオン５５、傘歯車５６を介してラック４９がＹ方向に直線移動し、上板４５は、中板２４上をＹガイド４７に沿ってＹ方向に駆動される。
【００６０】
また、操作ハンドル５２の第２のハンドル５２ｂを回転操作すると、ピニオン５３、傘歯車５６を介してラック４８をＸ方向に移動させる力を作用する。この場合、ラック４８が設けられる下板４３は、ベース４１上に固定されているので、ピニオン５３の回転により中板４４が下板４３上をＸガイド４６に沿ってＸ方向に駆動される。
【００６１】
従って、このようにしても、操作ハンドル５２の第１のハンドル５２ａと第２のハンドル５２ｂを選択し、それぞれを片手（図示例では右手）で回転操作することで、上板４５のＹガイド４７に沿った移動および中板４４のＸガイド４６に沿った移動をそれぞれ得られるので、上述した第２の実施の形態と同様な効果を得られる。
【００６２】
なお、上述した実施の形態では、操作ハンドル５２を右手で操作するのに便利なように、移動ステージ４２の手前側から見て右側に操作ハンドル５２を配置した例を述べたが、左側に配置することもできる。
【００６３】
その他、本発明は、上記実施の形態に限定されるものでなく、実施段階では、その要旨を変更しない範囲で種々変形することが可能である。
【００６４】
さらに、上記実施の形態には、種々の段階の発明が含まれており、開示されている複数の構成要件における適宜な組み合わせにより種々の発明が抽出できる。例えば、実施の形態に示されている全構成要件から幾つかの構成要件が削除されても、発明が解決しようとする課題の欄で述べた課題を解決でき、発明の効果の欄で述べられている効果が得られる場合には、この構成要件が削除された構成が発明として抽出できる。
【図面の簡単な説明】
【００６５】
【図１】本発明の第１の実施の形態にかかる顕微鏡システムの要部の概略構成を示す図。
【図２】第１の実施の形態の図１をＶ−Ｖから断面して矢印方向に見た図。
【図３】第１の実施の形態に用いられる操作部の概略構成を示す図。
【図４】本発明の第２の実施の形態にかかる顕微鏡システムの要部の概略構成を示す図。
【図５】本発明の第３の実施の形態にかかる顕微鏡システムの要部の概略構成を示す図。
【図６】従来の顕微鏡システムの概略構成を示す図。
【図７】従来の顕微鏡システムに用いられる移動ステージの概略構成を示す図。
【符号の説明】
【００６６】
１…ベース、２…移動ステージ、３…下板、３ａ…突起
４…中板、４ａ…突起、４ｂ…突起
５…上板、５ａ…突起、６…Ｘガイド、６ａ…凸部、６ｂ…凹部
７…Ｙガイド、７ａ…凹部、７ｂ…凸部
８、11…孔、９、１２…送りねじ、９ａ．１２ａ…凹部
10，１３…ばね、１４…操作部、１５…基板
１５ａ…孔部、１６…回転軸、１６ａ…段部、１６ｂ…小径部
１６ｃ…回転中心、１７１…ナット、１７…操作ハンドル
１７ａ…把手部、１７ｂ…突起、１８ａ、１８ｂ…Ｅリング
２１…ベース、２２…移動ステージ、２３…下板
２４…中板、２５…上板、２６…Ｙガイド
２６ａ…ガイドレール、２６ｂ…摺動部、２７…Ｘガイド
２７ａ…ガイドレール、２７ｂ…摺動部
２８、２９…ラック、３０…操作部
３０１…突起、３０２…孔部、３１…操作ハンドル
３１ａ…第１のハンドル、３１ｂ…第２のハンドル
３２、３３…ピニオン、４１…ベース、４２…移動ステージ
４３…下板、４４…中板、４５…上板
４６…Ｘガイド、４６ａ…ガイドレール
４７…Ｙガイド、４７ａ…ガイドレール、４７ｂ…摺動部
４８、４９…ラック、５１…操作部、５１１…突起
５１２…孔部、５２…操作ハンドル、５２ａ…第１のハンドル
５２ｂ…第２のハンドル、５３…ピニオン、５４…傘歯車
５５…ピニオン、５６…傘歯車、
【図１】
2005234462.tif 000003
【図２】
2005234462.tif 000004
【図３】
2005234462.tif 000005
【図４】
2005234462.tif 000006
【図５】
2005234462.tif 000007
【図６】
2005234462.tif 000008
【図７】
2005234462.tif 000009